(57)【要約】【課題】本発明の目的は、扇風機全体の外観を良好に維持しつつ、扇風機が転倒することなく扇風機ヘッド部が仰角度９０度へ回動できるように、転倒の危険性が高い仰角度になる時に、転倒防止具を安全に機能させることにある。【解決手段】ヘッド部１が所定の角度以内で回動することの保持および保持を解除する仰角回動ロック／アンロック装置５と、扇風機の転倒を防止する転倒防止具４と、転倒防止具４を所定の位置に保持および保持を解除する転倒防止可動ロック／アンロック装置６と、それらを制御する制御回路７とで構成されている。そして、ヘッド部１と、装置５と、転倒防止具４と装置６と制御回路７とが相互に関連しつつ、必要な時に転倒防止具４が安全に機能する。【選択図】  図１
2012202343.tif 000002
【特許請求の範囲】
【請求項１】
ファンモータ、ファン、ガードおよび上下俯仰回動自在に主軸を介して枢支されるネックピースを備えるヘッド部と、
前記ネックピースを前記主軸を介して枢支するネックホルダーを備え、該ネックホルダーを介して前記ヘッド部を支持し立設する支柱部と、
該支柱部を支持するベース部と、
転倒防止具と、仰角回動ロック／アンロック装置と、転倒防止具可動ロック／アンロック装置で構成された扇風機であり、
前記転倒防止具は、前記ヘッド部が仰角設定角度を越える時、前記扇風機の転倒を防止する機能を備え、
前記仰角回動ロック／アンロック装置は、前記ヘッド部の回動を前記仰角設定角度以内に保持するロック機能と該保持を解除するアンロック機能を備え、
前記転倒防止具可動ロック／アンロック装置は、前記転倒防止具を転倒防止設定位置に保持するロック機能と該保持を解除するアンロック機能を備え、
前記ヘッド部は前記仰角設定角度以内にあり、前記仰角回動ロック／アンロック装置はロック状態にあり、
前記転倒防止具が前記転倒防止設定位置に設置されると、前記転倒防止具可動ロック／アンロック装置はロック状態となり前記転倒防止具が前記転倒防止設定位置に保持され、前記仰角回動ロック／アンロック装置はアンロック状態となり前記ヘッド部が前記仰角設定角度以内で回動する状態の保持は解除され、前記ヘッド部は前記仰角設定角度を越え回動自在となり、
前記ヘッド部を前記仰角設定角度以内へ回動させ前記仰角回動ロック／アンロック装置をロック状態にすると、前記転倒防止具可動ロック／アンロック装置はアンロック状態になり前記転倒防止具の前記転倒防止設定位置への保持は解除され、前記転倒防止具は可動自在となることを特徴とする扇風機。
【請求項２】
ファンモータ、ファン、ガードおよび上下俯仰回動自在に主軸を介して枢支されるネックピースを備えるヘッド部と、
前記ネックピースを前記主軸を介して枢支するネックホルダーを備え、該ネックホルダーを介して前記ヘッド部を支持し立設する支柱部と、
該支柱部を支持するベース部と、
転倒防止具と、仰角回動ロック／アンロック装置と、転倒防止具可動ロック／アンロック装置と所定の制御をする制御回路で構成された扇風機であり、
前記転倒防止具は、前記ヘッド部が仰角設定角度を越える時、前記扇風機の転倒を防止する機能を備え、
前記仰角回動ロック／アンロック装置は、前記ヘッド部の回動を前記仰角設定角度以内に保持するロック機能と該保持を解除するアンロック機能を備え、
前記転倒防止具可動ロック／アンロック装置は、前記転倒防止具を転倒防止設定位置に保持するロック機能と該保持を解除するアンロック機能を備え、
前記制御回路は、前記仰角回動ロック／アンロック装置と前記転倒防止具可動ロック／アンロック装置の状態を感知および制御する機能を備え、
前記ヘッド部は前記仰角設定角度以内にあり、前記仰角回動ロック／アンロック装置はロック状態にあり、
前記転倒防止具が前記転倒防止設定位置に設置され、前記制御回路が該設置を感知し前記転倒防止具可動ロック／アンロック装置と前記仰角回動ロック／アンロック装置へ電気信号を発信すると、
前記転倒防止具可動ロック／アンロック装置はロック状態となり前記転倒防止具が前記転倒防止設定位置に保持され、前記仰角回動ロック／アンロック装置はアンロック状態となり前記ヘッド部の回動の前記仰角設定角度以内への保持は解除され、前記ヘッド部は前記仰角設定角度を越え回動自在となり、
前記ヘッド部を前記仰角設定角度以内へ回動させ前記仰角回動ロック／アンロック装置がロック状態になされ、前記制御回路が該ロック状態を感知し、前記転倒防止具可動ロック／アンロック装置へ電気信号を発信すると、
前記転倒防止具可動ロック／アンロック装置はアンロック状態になり前記転倒防止具の前記転倒防止設定位置への保持は解除され、前記転倒防止具は可動自在となることを特徴とする扇風機。
【請求項３】
ファンモータ、ファン、ガードおよび仰角度90度まで回動する上下俯仰回動自在に枢支したネックピースを備えるヘッド部を用いた請求項１若しくは請求項２に記載の扇風機。
【発明の詳細な説明】
【技術分野】
【０００１】
本発明は、転倒防止機能により、転倒することなく安全に扇風機のヘッド部の仰角度を９０度にできる扇風機に関するものである。
【背景技術】
【０００２】
従来、大量に流通している形式の扇風機はヘッド部の仰角度を９０度にすることができない。ヘッド部の仰角度を９０度にする提案はあるが、ヘッド部重量の偏りにより転倒する可能性が高くなる。（特許文献１、特許文献２、特許文献３を参照）
また、上記扇風機のヘッド部および支柱部を支持するベース部に取り外し可能な、若しくは収納可能な転倒防止具は提案されている。（特許文献４、特許文献５を参照）
以上より、扇風機ヘッド部仰角度と転倒防止具が安全に連動することは望ましいことである。
【先行技術文献】
【特許文献】
【０００３】
【特許文献１】実公平０３−４３４３５号公報
【特許文献２】特開平０７−１５１０９４号公報
【特許文献３】特開平０７−１５８５９７号公報
【特許文献４】特開２００２−５０８１号公報
【特許文献５】特開２００７−３１６５０１号公報
【発明の概要】
【発明が解決しようとする課題】
【０００４】
一般的な居室内で、暖房時に扇風機の併用は省エネ効果が高いことが知られている。特に扇風機の風を真上に吹くと効果があるが、一般的な扇風機ヘッドは仰角度を９０度にできない。扇風機を仰向けに寝かせて使用する方法は、場所をとり見栄えもよくない。
【０００５】
また、扇風機ヘッド部を仰角度９０度に回動可能にするためにはベース部底面積を大きくする必要がある。また、夏場使用する時、仰角度は０度に近く、大きなベース部はデザイン的に不自然である。
【０００６】
本発明の目的は、扇風機全体の外観を良好に維持しつつ、扇風機が転倒することなく扇風機ヘッド部が仰角度９０度へ回動可能にするため、転倒の危険性が高い仰角度になる時に、転倒防止具を安全に機能させることにある。
【課題を解決するための手段】
【０００７】
上記目的を達成するため、請求項１の扇風機は、ヘッド部１の所定の角度以内の回動の保持および保持を解除する仰角回動ロック／アンロック装置５と、扇風機の転倒を防止する転倒防止具４と、転倒防止具４を所定の位置に保持および保持を解除する転倒防止可動ロック／アンロック装置６とで構成され、請求項２においては、前記装置５と、前記転倒防止具４と、前記装置６と、それらを制御する制御回路７とで構成されている。
【０００８】
そして、必要な時に前記転倒防止具４が安全に機能するため、請求項１においては、前記ヘッド部１と、前記仰角回動ロック／アンロック装置５と、前期転倒防止具４と前記転倒防止可動ロック／アンロック装置６とが相互に関連しつつ作動する。そして、請求項２においては、前記ヘッド部１と、前記装置５と、前期転倒防止具４と前記装置６と前記制御回路７とが相互に関連しつつ作動する。
【０００９】
夏場に通常使用する時には、前記ヘッド部１は前記所定の仰角度以内にあり前期仰角回動ロック／アンロック装置５はロック状態にあり、前記転倒防止具４は収納されていて、前記転倒防止可動ロック／アンロック装置６はアンロック状態にある。
【００１０】
請求項１の場合、仰角度を９０度にするには、前記転倒防止具４を前記所定の位置に設置すると、前記転倒防止可動ロック／アンロック装置６はロック状態および前記仰角回動ロック／アンロック装置５はアンロック状態となり、前記ヘッド部は仰角度９０度まで回動可能となる。
【００１１】
請求項１の場合、前記転倒防止具４を収納するには、前記ヘッド部を前記所定の角度以内に回動すると、前記転倒防止可動ロック／アンロック装置６がアンロック状態になり、前記転倒防止具４は収納でき、収納と同時に前記仰角回動ロック／アンロック装置５がロック状態となる。
【００１２】
請求項２の場合、仰角度を９０度にするには、前記転倒防止具４を前記所定の位置に設置すると、前記制御回路７は該設置を感知し前記転倒防止可動ロック／アンロック装置６をロック状態および前記仰角回動ロック／アンロック装置５をアンロック状態にする。そして、前記ヘッド部１は仰角度９０度まで回動可能となる。
【００１３】
請求項２の場合、前記ヘッド部１を前記所定の角度以内に回動し前記仰角回動ロック／アンロック装置５をロック状態にすると、前期制御回路７はそのロック状態を感知し前記転倒防止可動ロック／アンロック装置６をアンロック状態にする。そして、前記転倒防止具４は移動可能となる。
【発明の効果】
【００１４】
本発明により、前記ヘッド部１が前記所定の角度内にある時は通常の扇風機として安全に使用ができ、前記所定の角度を超える時には、必ず前記転倒防止具が前記所定の位置に設置され、転倒に対して安全性を確保できる。
【００１５】
請求項１は、扇風機の支柱部が伸縮しない形式に使用できる。請求項２は、扇風機の支柱部が伸縮する形式にも使用できる。
【図面の簡単な説明】
【００１６】
【図１】本発明の実施例１のヘッド１が仰角度９０度の状態を正面、左上斜めから見た図。
【図２】本発明の実施例１のヘッド１が通常使用時の状態を正面、左上斜めから見た図。
【図３】本発明の実施例１のヘッド１が通常使用時の状態を背面、右上斜めから見た扇風機本体カバーを半分取り除いた図。
【図４】本発明の実施例１のヘッドが仰角度９０度の状態を正面、左上斜めから見たファン、ファンガード、本体カバーを取り除いた図。
【図５】本発明の実施例１のヘッドが仰角度９０度の時、主軸部２ａ、仰角回動連動カム５ａおよび仰角回動連動シャフト５ｂの詳細図
【図６】本発明の実施例１のヘッド１が通常の所定仰角度以内から仰角度９０度になり、再度所定仰角度以内に戻るまでのフロー。
【図７】本発明の実施例２のヘッド１が通常使用時の状態を正面、右上斜めから見た図。
【図８】本発明の実施例２のヘッド１が仰角度９０度の状態を正面、右上斜めから見た図。
【図９】本発明の実施例２のヘッド１が通常使用時の状態を背面、左上斜めから見たファン１ａ、ガード１ｃ、本体カバーを半分取り除いた図。
【図１０】本発明の実施例２のヘッド１が仰角度９０度の状態を背面、左上斜めから見たファン１ａ、ガード１ｃ、本体カバーを半分取り除いた図。
【図１１】本発明の実施例２の転倒防止具４が収納された状態を正面、左下斜めから見た詳細分解図１。
【図１２】本発明の実施例２の転倒防止具４が引き出された状態を背面、右下斜めから見た詳細分解図２。
【図１３】本発明の実施例２のヘッド１が通常の所定仰角度以内から仰角度９０度になり、再度所定仰角度以内に戻るまでのフロー。
【発明を実施するための形態】
【実施例１】
【００１７】
以下、この発明の実施例１について図面を参照して説明する。図２には、扇風機の通常の使用時における状態を示してあり、ベース部３と、このベース部３の上にほぼ垂直に設けられた支柱部２と、その支柱部２上端部のヘッド部１とで構成されている。
【００１８】
図１、図２、図３、図４に示すように、ヘッド部１はファンモータ１ａと、このファンモータ１ａに取り付けられたプロペラ型のファン１ｂと、このファン１ｂを覆った保護用のガード１ｃと、ファンモータ１ａを支持するネックピース１ｄ  と、ネックピース１ｄが固着した主軸部２ｂとで構成されている。
【００１９】
図１、図２、図３、図４、図５に示すように、支柱部２の上端部に固着されたネックホルダー２ａは、ネックピース１ｄが固着された主軸部２ｂを介して軸支され、それによりヘッド１は上下方向に回動自在になっている。そして、その主軸部面の略外淵部に仰角回動連動カム５ａが軸支されている。
【００２０】
そして、この発明の特徴であるヘッド部１を安全に仰角度９０度にするための装置群は、転倒防止具４と、仰角回動ロック／アンロック装置５と、転倒防止具可動ロック／アンロック装置６とで構成され、ヘッド部１、転倒防止具４、装置５および装置６は相互に連動している。
【００２１】
図３、図４に示すように、転倒防止具４は、転倒防止具４を円滑に可動させるためのガイド用ローラー４ａと、前後二方向回転車輪４ｂとで構成されている。
【００２２】
図３、図４に示すように、仰角回動ロック／アンロック装置５は、ヘッド部１の回動を制御する仰角回動連動カム５ａと、仰角回動連動カム５ａに連動する仰角回動連動シャフト５ｂと、仰角回動を制動するためのスロープ６ａを下る時は回転し、上るときには回転しない一方向回転車輪型ストッパー５ｃとで構成されている。
【００２３】
図３、図４に示すように、転倒防止具可動ロック／アンロック装置６は、ヘッド部１が所定の仰角度を超え回動した時、転倒防止具４が収納方向に移動しないようにするために一方向回転車輪型ストッパー５ｃを受ける所定の摩擦抵抗を有するスロープ６ａとで構成されている。
【００２４】
通常の使用状態では、図２、図３に示すように転倒防止具４は扇風機本体に収納され、一方向回転車輪型ストッパー５ｃはスロープ６ａの最高位置にあり仰角回動ロック／アンロック装置５によりヘッド１は所定の仰角度以内だけで回動する。
【００２５】
通常の使用状態から、ヘッド１を仰角度９０度にするには、図１、図４に示すように、転倒防止具４を収納状態から扇風機後方へ引き出すと、一方向回転車輪型ストッパー５ｃはスロープ６ａから離れ、仰角回動ロック／アンロック装置５はアンロック状態となる。若しくは、一方向回転車輪型ストッパー５ｃはスロープ６ａを下って行く。
【００２６】
図４に示すように転倒防止具４を所定位置に設置し、ヘッド１を仰角度９０度まで回動すると、一方向回転車輪型ストッパー５ｃはスロープ６ａの最低部に接地し装置６はロック状態となり、転倒防止具４は安全に所定位置に保持される。
【００２７】
ヘッド１を通常の所定の仰角度以内にするには、ヘッド１を所定の仰角度以内に回動させると一方向回転車輪型ストッパー５ｃはスロープ６ａから離れ、転倒防止具可動ロック／アンロック装置６はアンロック状態となり転倒防止具４を収納することができる。
【００２８】
転倒防止具４を収納すると、一方向回転車輪型ストッパー５ｃはスロープ６ａの最高部以上に保持され、それによりヘッド部１は所定の仰角以内の回動が可能となる。
【００２９】
図６は、ヘッド１が通常の所定の仰角度以内から仰角度９０度になり、再度所定の仰角度以内に戻るまでのフローである。
【００３０】
ヘッド１の重心の偏りと転倒防止具４が安全に機能する位置は、一定の関係性がある。その一定の関係性をスロープ６ａのスロープの高低へ適切に反映させる事により、ヘッド１が所定の仰角度を超え９０度未満の間の任意の位置にあっても、一方向回転車輪型ストッパー５ｃが、スロープ６ａの適切な位置に止まり、転倒防止具４を適切に機能させることができる。
【実施例２】
【００３１】
以下、この発明の実施例２について図面を参照して説明する。図７には、扇風機の通常の使用時における状態を示してあり、ベース部３と、このベース部３の上にほぼ垂直に設けられた支柱部２と、その支柱部２上端部のヘッド部１とで構成されている。
【００３２】
図７、図８、図９、図１０に示すように、ヘッド部１はファンモータ１ａと、このファンモータ１ａに取り付けられたプロペラ型のファン１ｂと、このファン１ｂを覆った保護用のガード１ｃと、ファンモータ１ａを支持するネックピース１ｄと、仰角回動ストッパー受け１ｅとで構成されている。
【００３３】
図７、図８、図９、図１０に示すように、ヘッド部１のネックピース１ｄと、支柱部２の上端部に取り付けられたネックホルダー２ａが、主軸部２ｂを介して上下方向に回動自在に軸支されている。
【００３４】
そして、この発明の特徴であるヘッド部１を安全に仰角度９０度にするための装置群は、転倒防止具４と、ネックホルダー２ａに固着され回路を内蔵する仰角回動ストッパー５ｄと、転倒防止具可動ロック／アンロック装置６と、制御回路７とで構成されている。そして、ヘッド部１、転倒防止具４、仰角回動ストッパー５ｄおよび転倒防止具可動ロック／アンロック装置６は制御回路７により相互に連動している。
【００３５】
図９、図１０に示すように、転倒防止具４は、ガイド用ローラー４ａと、前後二方向回転車輪４ｂにより、円滑に可動する。
【００３６】
図７、図９に示すように、仰角回動ストッパー５ｄと仰角回動ストッパー受け１ｅにより、ヘッド部１は所定の仰角度以上の回動を抑止される。その仰角回動ストッパー５ｄの内臓回路は、仰角回動ストッパー５ｄのロック／アンロック状態に関する電気信号を制御回路７へ発信し、また、制御回路７からの電気信号を受信する。
【００３７】
図９、図１０、図１１、図１２に示すように、転倒防止具可動ロック／アンロック装置６は、所定の位置に設置された転倒防止具４が収納方向に移動しないようにするための転倒防止具ストッパー６ｂと、転倒防止具４が所定の位置に配置されたことおよび所定の位置から離反したことを感知し制御回路７へ電気信号を発信する所定位置感知センサー６ｃとで構成されている。
【００３８】
また、転倒防止具ストッパー６ｂは、制御回路７から電気信号を受信しロック／アンロックを制御する回路を内蔵している。
【００３９】
通常の使用状態では、仰角回動ストッパー５ｄと仰角回動ストッパー受け１ｅにより、ヘッド１は所定仰角度以内だけで回動する。
【００４０】
図９、図１０、図１１、図１２に示すように、通常の使用状態から、ヘッド１を仰角度９０度にするには、転倒防止具４を収納状態から扇風機後方へ引き出し所定の位置に設置すると、所定位置感知センサー６ｃがその設置を感知し電気信号を制御回路７へ発信する。
【００４１】
そして、所定位置感知センサー６ｃからの電気信号を受信した制御回路７は、転倒防止具ストッパー６ｂへ電気信号を発信し、転倒防止具ストッパー６ｂはその信号を受信しロック状態となり、転倒防止具４は所定位置に保持される。
【００４２】
上記と同時に、所定位置感知センサー６ｃからの電気信号を受信した制御回路７は仰角回動ストッパー５ｄへ電気信号を発信し、仰角回動ストッパー５ｄはアンロック状態となり、ヘッド１は仰角度９０度まで回動可能となる。
【００４３】
ヘッド１が通常の所定の仰角度以内で回動可能状態にするためには、ヘッド１を所定の仰角度以内に回動させ、仰角回動ストッパー５ｄをロック状態にすると、ヘッド１は所定の仰角度以内だけで回動する。同時に仰角回動ストッパー５ｄから電気信号が制御回路７に発信される。
【００４４】
そして、仰角回動ストッパー５ｄから電気信号を受信した制御回路７は、転倒防止具ストッパー６ｂへ電気信号を発信する。その電気信号を受信した倒防止具ストッパー６ｂはアンロック状態となり、転倒防止具４を収納することができる。
【００４５】
図１１は、ヘッド１が所定の仰角度以内から仰角度９０度になり、再度所定の仰角度以内に戻るまでのフローである。
【００４６】
仰角回動ストッパー５ｄがヘッド１をロックする段階の数を増やし、転倒防止具ストッパー６ｂおよび所定位置感知センサー６ｃの設置数を増やし、制御回路７が仰角回動ストッパー５ｄ、転倒防止具ストッパー６ｂおよび所定位置感知センサー６ｃを適切に制御することにより、ヘッド１が所定の仰角度を超え９０度未満の間の任意の位置に安全に保持することもできる。
【符号の説明】
【００４７】
１    ヘッド部
１ａ  ファンモータ
１ｂ  ファン
１ｃ  ガード
１ｄ  ネックピース
１ｅ  仰角回動ストッパー受け
２    支柱部
２ａ  ネックホルダー
２ｂ  主軸部
２ｃ  支柱
３    ベース部
４    転倒防止具
４ａ  外ケースに固定されたガイド用ローラー
４ｂ  前後二方向回転車輪
５    仰角回動ロック／アンロック装置
５ａ  仰角回動連動カム
５ｂ  仰角回動連動シャフト
５ｃ  仰角回動と転倒防止具可動を連動する降り一方向回転車輪型ストッパー
５ｄ  ロック／アンロックを感知する回路を内蔵した仰角回動ストッパー
６    転倒防止具可動ロック／アンロック装置
６ａ  降り一方向回転車輪型ストッパー受けの所定摩擦抵抗を有するスロープ
６ｂ  転倒防止具ストッパー
６ｃ  所定位置感知センサー
７    制御回路
７ａ  信号ケーブル
【図１】
2012202343.tif 000003
【図２】
2012202343.tif 000004
【図３】
2012202343.tif 000005
【図４】
2012202343.tif 000006
【図５】
2012202343.tif 000007
【図６】
2012202343.tif 000008
【図７】
2012202343.tif 000009
【図８】
2012202343.tif 000010
【図９】
2012202343.tif 000011
【図１０】
2012202343.tif 000012
【図１１】
2012202343.tif 000013
【図１２】
2012202343.tif 000014
【図１３】
2012202343.tif 000015